(57)【要約】【課題】  確実かつ容易に鉄筋に着脱可能であり、工事現場記録撮影作業の大部分を一人で行うことができ、撮影時間の短縮によるコストダウンを図ることが可能な鉄筋撮影用補助具を提供する。【解決手段】  現場記録写真の撮影の際に鉄筋Ｒに取り付けられて目印とされるマーカー本体２Ａを有し、このマーカー本体２Ａの正面側には彩色が施された識別部３が設けられているとともに、前記マーカー本体２Ａの背面側には前記鉄筋Ｒを着脱可能に狭持する狭持部４が設けられており、前記狭持部４は、前記鉄筋Ｒの節Ｊに係止可能な間隔で縦方向に並列される複数の狭持腕４１から構成されている。【選択図】  図１
2010008347.tif 000002
【特許請求の範囲】
【請求項１】
現場記録写真の撮影の際に鉄筋に取り付けられて目印とされるマーカー本体を有しており、
このマーカー本体の正面側には彩色が施された識別部が設けられているとともに、前記マーカー本体の背面側には前記鉄筋を着脱可能に狭持する狭持部が設けられており、
前記狭持部は、前記鉄筋の節に係止可能な間隔で縦方向に並列される複数の狭持腕から構成されている鉄筋撮影用補助具。
【請求項２】
請求項１において、前記各狭持腕の縦方向の間隔が前記鉄筋の節の間隔とほぼ等しく形成されており、縦方向に隣設された前記各狭持腕によってそれらの間の前記鉄筋の節を狭持可能に構成されている鉄筋撮影用補助具。
【請求項３】
請求項１または請求項２において、前記狭持腕の基端部には一対の係止爪が形成されているとともに、前記マーカー本体の背面側には前記係止爪を嵌入させて係止可能な係止溝が形成されており、前記狭持部を前記マーカー本体に対して着脱交換可能に構成されている鉄筋撮影用補助具。
【請求項４】
請求項１から請求項３のいずれかにおいて、前記マーカー本体には連結孔が形成されており、この連結孔には他のマーカー本体に連結された連結紐が通されて結ばれている鉄筋撮影用補助具。
【請求項５】
現場記録写真の撮影の際に鉄筋に取り付けられて鉄筋撮影用の標尺や黒板等を保持する保持具本体を有しており、
この保持具本体の正面側には磁石が固定されているとともに、前記保持具本体の背面側には前記鉄筋を着脱可能に狭持する狭持部が設けられており、
前記狭持部は、前記鉄筋の節に係止可能な間隔で縦方向に並列される複数の狭持腕から構成されている鉄筋撮影用補助具。
【請求項６】
請求項５において、前記各狭持腕の縦方向の間隔が前記鉄筋の節の間隔とほぼ等しく形成されており、縦方向に隣設された前記各狭持腕によってそれらの間の前記鉄筋の節を狭持可能に構成されている鉄筋撮影用補助具。
【請求項７】
請求項５または請求項６において、前記狭持腕の基端部には一対の係止爪が形成されているとともに、前記保持具本体の背面側には前記係止爪を嵌入させて係止可能な係止溝が形成されており、前記狭持部を前記保持具本体に対して着脱交換可能に構成されている鉄筋撮影用補助具。
【請求項８】
請求項５から請求項７のいずれかにおいて、前記保持具本体には連結孔が形成されており、この連結孔には他の保持具本体に連結された連結紐が通されて結ばれている鉄筋撮影用補助具。
【発明の詳細な説明】
【技術分野】
【０００１】
本発明は、建築工事や土木工事等の工事現場記録写真の撮影において用いられる鉄筋撮影用補助具に関するものである。
【背景技術】
【０００２】
従来、建築工事や土木工事等において、鉄筋が規格通りに施工されているか否かを確認するために工事経過を正確に示す記録保存用の写真を取っておくことが義務づけられている。この場合、記録写真を見て施工状況を確認するときの検証作業を容易にするため、鉄筋にマーカーを取り付けて目印としたり、一緒に標尺を写り込ませて鉄筋間の距離を表示したり、黒板を写り込ませて記録を保持したりすることが一般的に行われる。また、撮影には標尺や黒板を持つ人等が別途必要であり、複数人の作業となっている。従来、このような作業の効率化を進めるために鉄筋撮影用のマーカーや標尺、あるいは標尺や黒板を保持する保持具がいくつか提案されている。
【０００３】
例えば、特開２００３−２５２５８号公報では、幅が５ｃｍ、長さ６ｃｍを標準としたロール状のゴム用マーク本体からなる鉄筋マークが開示されている（特許文献１）。この特許文献１に記載の発明によれば、ロール状のゴム用マーク本体は鉄筋に巻き付けられることにより密着して落ちなくなり、また、その鉄筋から簡単に取り外すことができるとされている。
【０００４】
また、実開平３−７６１０１号公報では、背面にゴム磁石を接着させた現場記録写真用繊維性巻尺が開示されている（特許文献２）。この特許文献２に記載の発明によれば、背面のゴム磁石が鉄筋にピッタリと磁着するため、巻尺を直線状に張った状態に保持することができるとされている。
【０００５】
さらに、実開平５−３６３１０号公報では、支柱の下端に複数の脚と、前記支柱に標尺を取り付けるための支持部とからなる標尺支持具が開示されている（特許文献３）。この特許文献３に記載の発明によれば、標尺を標尺支持具により起立させることにより、人手を少なくさせて、確実かつ明瞭に記録撮影することができるとされている。
【０００６】
【特許文献１】特開２００３−２５２５８号公報
【特許文献２】実開平３−７６１０１号公報
【特許文献３】実開平５−３６３１０号公報
【発明の開示】
【発明が解決しようとする課題】
【０００７】
しかしながら、特許文献１に記載された発明においては、鉄筋への取り付けや取り外しに際し、ロール状のゴム用マーク本体はその都度引き延ばさなければならず、手間や時間を要するという問題がある。また、数回使用することにより巻き付ける力が低下し、鉄筋から落ち易くなったり、ずれ易くなったりするという問題がある。
【０００８】
また、特許文献２に記載された発明においては、鉄筋とゴム磁石との接触面積が狭いため十分な磁着力を得られず、巻尺が落下したり、自重により撓んでしまい正確な長さが計測できないという問題がある。
【０００９】
さらに、特許文献３に記載の発明においては、足場の悪い所では安定せず標尺が倒れてしまうという問題がある。また、標尺の位置決めの際の調整は支持具ごと動かさなければならず、手間や時間を要するという問題がある。さらに三脚の構造であるため高所での使用に適しない。また、同様な問題は黒板を保持する場合も存在している。
【００１０】
本発明は、このような問題点を解決するためになされたものであって、確実かつ容易に鉄筋に着脱可能であり、工事現場記録撮影作業の大部分を一人で行うことができ、撮影時間の短縮によるコストダウンを図ることが可能な鉄筋撮影用補助具を提供することを目的としている。
【課題を解決するための手段】
【００１１】
本発明に係る鉄筋撮影用補助具は、現場記録写真の撮影の際に鉄筋に取り付けられて目印とされるマーカー本体を有しており、このマーカー本体の正面側には彩色が施された識別部が設けられているとともに、前記マーカー本体の背面側には前記鉄筋を着脱可能に狭持する狭持部が設けられており、前記狭持部は、前記鉄筋の節に係止可能な間隔で縦方向に並列される複数の狭持腕から構成されている点にある。
【００１２】
本発明の一態様として、前記各狭持腕の縦方向の間隔が前記鉄筋の節の間隔とほぼ等しく形成されており、縦方向に隣設された前記各狭持腕によってそれらの間の前記鉄筋の節を狭持可能に構成されてもよい。
【００１３】
また、本発明の一態様として、前記狭持腕の基端部には一対の係止爪が形成されているとともに、前記マーカー本体の背面側には前記係止爪を嵌入させて係止可能な係止溝が形成されており、前記狭持部を前記マーカー本体に対して着脱交換可能に構成されてもよい。
【００１４】
また、本発明の一態様として、前記マーカー本体には連結孔が形成されており、この連結孔には他のマーカー本体に連結された連結紐が通されて結ばれるように構成してもよい。
【００１５】
本発明に係る鉄筋撮影用補助具は、現場記録写真の撮影の際に鉄筋に取り付けられて鉄筋撮影用の標尺や黒板等を保持する保持具本体を有しており、この保持具本体の正面側には磁石が固定されているとともに、前記保持具本体の背面側には前記鉄筋を着脱可能に狭持する狭持部が設けられており、前記狭持部は、前記鉄筋の節に係止可能な間隔で縦方向に並列される複数の狭持腕から構成されている点にある。
【００１６】
本発明の一態様として、前記各狭持腕の縦方向の間隔が前記鉄筋の節の間隔とほぼ等しく形成されており、縦方向に隣設された狭持腕同士によってそれらの間の前記鉄筋の節を狭持可能に構成されてもよい。
【００１７】
また、本発明の一態様として、前記狭持腕の基端部には一対の係止爪が形成されているとともに、前記保持具本体の背面側には前記係止爪を嵌入させて係止可能な係止溝が形成されており、前記狭持部を前記保持具本体に対して着脱交換可能に構成されてもよい。
【００１８】
また、本発明の一態様として、前記保持具本体には連結孔が形成されており、この連結孔には他の保持具本体に連結された連結紐が通されて結ばれるように構成してもよい。
【発明の効果】
【００１９】
本発明によれば、鉄筋撮影用補助具を確実かつ容易に鉄筋に着脱すことができるとともに、工事現場記録撮影作業の大部分を一人で行うことができて撮影時間の短縮によるコストダウンを効果的に図ることができる。
【発明を実施するための最良の形態】
【００２０】
以下、本発明に係る鉄筋撮影用補助具の一実施形態として、現場記録写真の撮影の際に鉄筋に取り付けられて目印とされる鉄筋撮影用マーカー１Ａを一例に挙げて説明する。図１は、本第一実施形態の鉄筋撮影用マーカー１Ａの後方から見た斜視図であり、図２から図５は、それぞれ本第一実施形態の正面図、右側面図、平面図、および背面図である。なお、左側面図は右側面図と対称に表れ、底面図は平面図と対称に表れる。
【００２１】
各図に示すように、本第一実施形態の鉄筋撮影用マーカー１Ａは、円盤状に形成されたマーカー本体２Ａと、このマーカー本体２Ａの正面側に設けられた円形キャップ状の識別部３と、前記マーカー本体２Ａの背面側に設けられて鉄筋Ｒを狭持する狭持部４とから構成されている。なお、マーカー本体２Ａおよび識別部３は円盤状や円形キャップ状に限定されるものではなく、断面矩形状や断面多角形状等、適宜選択してよい。
【００２２】
以下、各構成についてより詳細に説明すると、本第一実施形態におけるマーカー本体２Ａは、図６および図７に示すように、ＡＢＳ樹脂（Acrylonitrile butadiene styrene共重合構成樹脂）によって適当な厚みを有する円盤状に形成されている。このマーカー本体２Ａの正面側には、識別部３を嵌入させるために前記マーカー本体２Ａの外縁に沿って円形状にくり抜かれた識別嵌入凹部２１Ａが形成されている。そして、この識別嵌入凹部２１Ａの内壁面には、後述する識別部３の識別係止爪３３の嵌入を容易にさせる嵌入テーパ溝２２が左右に形成されている。この嵌入テーパ溝２２の奥側には識別係止爪３３を引っ掛けて係止させるための識別係止受面２３が形成されている。
【００２３】
また、図７に示すように、マーカー本体２Ａの背面側には、狭持部４を取り付けるための狭持取付孔２４が形成されている。この狭持取付孔２４は、後述する狭持部４の左右一対の狭持取付脚４３を縦方向に複数対嵌入させられるように左右一対で縦長状に開口されている。そして、これら狭持取付孔２４の嵌入口縁部のうち外側の縦長状の縁部には、狭持取付脚４３の先端に形成された狭持係止爪４４を容易に滑り込ませられるように内方に傾斜されたテーパ状縁面２５が形成されている。また、前記狭持取付孔２４の奥側には、狭持係止爪４４を引っ掛けて係止させるための狭持係止受面２６が形成されている。
【００２４】
また、図６および図７に示すように、マーカー本体２Ａには、複数の鉄筋撮影用マーカー１Ａを連結する連結紐Ｗを通すために、正面から背面にかけて貫通された連結孔２７が形成されている。本第一実施形態では、金型による成型の際に必要な抜き孔を連結孔２７として利用するため、前述した左右一対の嵌入テーパ溝２２と重なる位置に形成される。但し、この位置や個数に限るものではないし、後述する識別部３の識別キャップ３２までも貫通させた連結孔２７としてもよい。また、必ずしも連結孔２７として使用する必要はないし、連結紐Ｗを連結しなくてもよい。
【００２５】
なお、本第一実施形態におけるマーカー本体２Ａの素材はＡＢＳ樹脂を用いているが、これに限定されるものではなく、その他の合成樹脂やアルミニウム合金などの金属、木材等適宜選択すればよい。
【００２６】
つぎに、本第一実施形態における識別部３は、図８から図１１に示すように、前述した識別嵌入凹部２１Ａに嵌入可能な外周壁を備えた筒状の識別嵌入凸部３１と、この識別嵌入凸部３１の上端から半径方向に拡開されたフランジを備えているとともにマーカー本体２Ａの正面全体をほぼ覆うような傘状に形成された識別キャップ３２とを有している。また、前記識別嵌入凸部３１は、左右水平の位置で２カ所分断されており、分離された部位の先端をわずかに伸ばして外側に曲げて延出されることにより、全体として識別係止爪３３を構成している。そして、この識別係止爪３３は、嵌入テーパ溝２２の傾斜度や識別嵌入受面２３の形状に合わせた形状に形成されている。
【００２７】
なお、識別キャップ３２の形状は、前述した円形状に限定されるものではなく、楕円形状や多角形状等、適宜選択することが可能であるし、識別係止爪３３の形状や係止方法についても同様に適宜変更してよい。
【００２８】
また、前記識別部３の材質は、識別係止爪３３を嵌入テーパ溝２２に沿って撓ませて識別係止受面２３に係止可能な程度に弾力性を有することが必要であるため、例えばＰＥＴ樹脂（Poly Ethylene Terephthalate樹脂）等を採用しているが、これに限る必要はなく、適宜必要な機能を発揮しうる材質に変更してよい。また、本第一実施形態における識別部３は、記録写真における識別性を向上させるために塗料を含有させて任意の色彩が施されている。
【００２９】
なお、本第一実施形態では、マーカー本体２Ａに用いたＡＢＳ樹脂と、識別部３に用いたＰＥＴ樹脂とは、接着剤による接着が困難であるため、前述したように、識別係止爪３３を識別係止受面２３に係止させて前記識別部３を固定している。ただし、識別部３の固定方法はこれに限定されるものではなく、圧着や螺着等により固定してもよく、また別体ではなく一体成型により形成してもよい。
【００３０】
また、上記塗料としては、一般的な色彩塗料に限らず、反射塗料や蓄光塗料等、様々な塗料が含まれる。また、識別キャップ３２の表面に着色することによって彩色を施してもよい。また、識別キャップ３２の色は鉄筋の種類や径に応じて適宜色分けして容易に判別できるようにしてもよい。
【００３１】
つぎに、本第一実施形態における狭持部４について説明する。狭持部４は、図１および図５に示すように、弾力性を有する複数の狭持腕対４１，４１が縦方向に所定間隔を隔てて並列されている。本実施形態では、三組の狭持腕対４１，４１によって構成されているが、これに限るものではなく、二組あるいは四組以上の狭持腕対４１，４１によって構成してもよい。また、上下に隣接された各狭持腕対４１，４１の間隔は、それぞれの狭持腕４１が鉄筋Ｒの節Ｊに係止可能に設けられている。
【００３２】
また、各狭持腕対４１，４１は、図示しない基板に一体的に設けられてもよいが、本第一実施形態では、それぞれ別体の独立した基板に設けられており、各狭持腕対４１，４１ごとに交換が可能である。つまり、各狭持腕対４１，４１は、図１２から図１４に示すように、略矩形板状に形成された狭持基板４２と、この狭持基板４２の背面側から突出形成された左右一対の狭持腕４１と、前記狭持基板４２の正面側に突出形成された左右一対の狭持取付脚４３とを有している。
【００３３】
前記狭持基板４２の形状は略矩形板状に限らず、適宜変更してよい。また、各狭持腕対４１，４１の間隔や各狭持腕４１の湾曲度合いは、狭持する鉄筋Ｒの外径寸法に合わせて鉄筋Ｒを確実に狭持して落下しないように決定される。さらに各狭持腕４１の先端には、鉄筋Ｒの狭持力を付与しやすいように楕円球状に膨拡された膨拡ヘッド４５が形成されている。
【００３４】
一方、一対の狭持取付脚４３は、マーカー本体２Ａに形成された一対の狭持取付孔２４の間隔に合わせた間隔を隔てて設けられている。また、各狭持取付脚４３は、狭持基板４２の上下寸法と等しい縦長さに形成されており、その先端をそれぞれ外側に曲げられて狭持係止爪４４が形成されている。そして、狭持係止爪４４は、前記狭持取付孔２４のテーパ状縁面２５や狭持係止受面２６の形状に合わせた形状に形成されている。
【００３５】
また、狭持部４の材質は、鉄筋Ｒに対して適度な狭持力を発揮しうる弾性材により構成されており、例えばＰＥＴ樹脂により構成できるが、これに限定されるものではない。
【００３６】
なお、各狭持腕４１は、鉄筋Ｒに対して着脱を繰り返して使用されるため、個別に破損しやすい。このため、本第一実施形態では狭持腕対４１，４１のそれぞれが着脱交換可能に別体として構成されているが、これに限られるものではなく、一体的な狭持部４としてマーカー本体２Ａに着脱交換可能に構成してもよい。また、本第一実施形態のように狭持腕対４１，４１を別体に形成することで、鉄筋Ｒの節の間隔に合わせて上下の狭持腕対４１，４１間にスペーサを挟んで間隔を調整することが可能となる。
【００３７】
また、本第一実施形態における各狭持腕対４１，４１は、左右の狭持腕４１をそれぞれ平行に配置しているが、これに限られるものではなく、縦方向にずらして配置してもよい。たとえば、図１５に示すように、鉄筋Ｒによっては、その節Ｊが鉄筋ＲのリブＬを境界として縦方向にずれているものがあり、このような左右の高さが異なる鉄筋Ｒの節Ｊに合わせて各狭持腕４１の高さを左右でずらして配置すれば、それぞれの狭持腕４１が鉄筋Ｒの節Ｊに係止されるためずれ落ちにくい狭持力が得られる。
【００３８】
さらに、狭持腕４１を左右一対にして構成するのではなく、図１６に示すように、単独の狭持腕４１として平面視略Ｃ字形状に形成し、これら複数の狭持腕４１を縦一列に所定の間隔を隔てて配置する構成としてもよい。
【００３９】
なお、本第一実施形態におけるマーカー本体２Ａ、識別部３および狭持部４は、それぞれ別体として形成されているが、これらを適宜一体的に成型してもよい。
【００４０】
つぎに、本第一実施形態の鉄筋撮影用マーカー１Ａの作用について説明する。
【００４１】
まず、鉄筋撮影用マーカー１Ａを製造する場合、マーカー本体２Ａの正面側に識別部３を取り付けるとともに、前記マーカー本体２Ａの背面側に狭持部４を取り付けて完成させる。マーカー本体２Ａに識別部３を取り付ける場合、識別嵌入凸部３１を識別嵌入凹部２１Ａに当てて押し込むことで、識別係止爪３３が嵌入テーパ溝２２に沿って嵌入され、当該識別係止爪３３が識別係止受面２３に係止されて取り付けを完了する。
【００４２】
また、マーカー本体２Ａに狭持部４を取り付ける場合、狭持取付脚４３を狭持取付孔２４に合わせて押し込むことで、狭持係止爪４４が狭持取付孔２４のテーパ状縁面２５に沿って奥側に容易に滑り込み、当該狭持係止爪４４が狭持係止受面２６に係止されて取り付けを完了する。このようにして三組の狭持腕対４１，４１を順次取り付けることによって、縦方向に三組の狭持腕対４１，４１が並べられた狭持部４を完成させる。
【００４３】
さらに、連結紐Ｗにより複数の鉄筋撮影用マーカー１Ａを連結する場合、マーカー本体２Ａに識別部３を取り付ける前に連結紐Ｗをマーカー本体２Ａの連結孔２７の背面側から挿入して、正面側で連結孔２７に係止しうる結び目をつくることで、鉄筋撮影用マーカー１Ａに連結紐Ｗを取り付ける。同様にして、連結紐Ｗの他端を他の鉄筋撮影用マーカー１Ａの連結孔２７に順次結びつけることにより、複数の鉄筋撮影用マーカー１Ａを連結する。なお、連結紐Ｗによる複数の鉄筋撮影用マーカー１Ａの連結方法は上記のものに限定されるものではなく、例えば、連結紐Ｗは接着剤により連結孔２７に固定してもよい。また、一本の連結紐Ｗを用いて、その連結紐Ｗをマーカー本体２Ａの連結孔の左右いずれか一方に背面側から挿入して他方の連結孔２７から引き出し、さらに他の鉄筋撮影用マーカー１Ａの連結孔２７に通して端部を留めるようにしてもよい。
【００４４】
つぎに、本第一実施形態の鉄筋撮影用マーカー１Ａを鉄筋Ｒに取り付ける場合の各構成部の作用について説明する。図１７は、本第一実施形態における鉄筋撮影用マーカー１Ａを鉄筋Ｒに取り付けた場合の使用状態を示す背面側から見た斜視図である。図１７に示すように、本第一実施形態の鉄筋撮影用マーカー１Ａは、現場記録写真の撮影の際に所定の鉄筋Ｒに取り付けられて目印とされる。鉄筋Ｒに取り付ける場合、鉄筋撮影用マーカー１Ａの各狭持腕対４１，４１の間に鉄筋Ｒの節Ｊと節Ｊとの間を押し当てて鉄筋Ｒに対して押し込むことにより、狭持腕対４１，４１は弾性変形して左右に拡開し、鉄筋Ｒの外周を狭持腕対４１，４１の中に抱え込む。これにより、各狭持腕対４１，４１の弾性力によって鉄筋Ｒの外周面を狭持するとともに、それぞれの狭持腕４１やその先端の膨拡ヘッド４５が鉄筋Ｒの節Ｊに引っかかることで係止し、鉄筋撮影用マーカー１Ａが鉄筋Ｒに取り付けられる。
【００４５】
また、狭持腕４１の縦方向の間隔は鉄筋Ｒの節の間隔とほぼ等しく形成されているため、縦方向に配列された狭持腕４１同士により上下から鉄筋Ｒの節Ｊを狭持する。これにより、鉄筋撮影用マーカー１Ａに鉄筋Ｒの軸方向の負荷が与えられても、軸方向にずれにくくなる。なお、対をなさない単独の狭持腕４１を使用した場合も狭持力の差は生じる可能性はあるが、同様の作用が得られる。
【００４６】
一方、鉄筋撮影用マーカー１Ａを鉄筋Ｒから取り外す場合には、鉄筋撮影用マーカー１Ａの上下いずれか一方を支点にして他方を手前に引き離すようにすることで、簡単に鉄筋Ｒから取り外せる。
【００４７】
また、本第一実施形態における識別部３および狭持部４は、それぞれ識別係止爪３３および狭持係止爪４４によってマーカー本体２Ａと係止されることで取り付けられているため、必要に応じて適宜交換可能である。たとえば、狭持部４の狭持腕４１は、鉄筋Ｒに繰り返し着脱される際に開閉を繰り返すため破損しやすいところ、この破損した狭持腕４１のみを交換すればよい。あるいは、鉄筋Ｒの径や節Ｊの間隔に対応して狭持腕４１を適宜好適なものに交換することも可能である。
【００４８】
さらに、複数の鉄筋撮影用マーカー１Ａを連結紐Ｗにより連結した場合、その連結紐Ｗは各鉄筋撮影用マーカー１Ａを鉄筋Ｒから取り外したときや意図せず外れてしまったときに、バラバラにさせず、紛失や地面に落下して破損するのを防ぐ。
【００４９】
以上のような鉄筋撮影用補助具の一実施形態である鉄筋撮影用マーカー１Ａによれば、つぎのような効果が得られる。
１．鉄筋Ｒに容易に着脱することができる。
２．取り付けた鉄筋撮影用マーカー１Ａが軸方向にずれたり、落ちたりしにくい。
３．狭持部４を任意に交換することによって径や種類の異なる鉄筋Ｒに容易に対応できる鉄筋撮影用マーカー１Ａを提供することができる。
４．記録写真で検証する際に識別し易い。
５．連結紐Ｗで連結することにより、紛失や破損を防ぐことができる。
【００５０】
つぎに、本発明に係る鉄筋撮影用補助具の他の実施形態として、現場記録写真の撮影の際に鉄筋に取り付けられて鉄筋撮影用の標尺や黒板等を保持する鉄筋撮影用保持具１Ｂを一例に挙げて説明する。図１８から図２１は、それぞれ本第二実施形態の鉄筋撮影用保持具１Ｂの正面図、右側面図、平面図、および背面図である。なお、左側面図は右側面図と対称に表れ、底面図は平面図と対称に表れる。以下、本第二実施形態に係る鉄筋撮影用保持具１Ｂの構成のうち、前述した第一実施形態の鉄筋撮影用マーカー１Ａの構成と同一若しくは相当する構成については同一の符号を付して再度の説明を省略する。
【００５１】
本第二実施形態の鉄筋撮影用保持具１Ｂは、円盤状に形成された保持具本体２Ｂと、この保持具本体２Ｂの正面側に取り付けられる保持部５と、前記保持具本体２Ｂの背面側に取り付けられて鉄筋Ｒを狭持する狭持部４とを有している。本第二実施形態の鉄筋撮影用保持具１Ｂは、鉄筋Ｒに取り付けられて標尺(スケール)Ｓや黒板等を保持するためのものであり、前述した鉄筋撮影用マーカー１Ａの識別部３に代えて保持部５を設けた点に特徴がある。
【００５２】
本第二実施形態における保持具本体２Ｂは、円盤状に形成されており、その正面側には保持部５である磁石５１を嵌入させるために円盤形状にくり抜かれた磁石嵌入凹部２１Ｂが形成されている。また、保持具本体２Ｂの背面側には、前述した第一実施形態の鉄筋撮影用マーカー１Ａと同様、狭持部４の狭持係止爪４４を嵌入させて係止可能な狭持取付孔２４が所定間隔を隔てて形成されている。
【００５３】
本第二実施形態における保持部５は、標尺Ｓや黒板を磁力によって保持するためのものであり、磁石嵌入凹部２１Ｂに合わせて円盤状に形成された磁石５１から構成される。この磁石５１は主にネオジウムマグネットにより構成されている。前記磁石５１の表面は標尺Ｓ等を保持しやすいように平面状に形成されている。また、前記磁石５１は、保持具本体２Ｂの磁石嵌入凹部２１Ｂに嵌入されるが、固定方法は種々選択することが可能であり、たとえば接着材を用いて前記磁石嵌入凹部２１Ｂに固着される。
【００５４】
なお、本第二実施形態で保持される標尺Ｓや黒板等は、鉄板などの磁性体が用いられる。仮に標尺Ｓ等がアルミニウムや木材等の磁性の弱い材料乃至磁性体ではない材料で形成されている場合、標尺Ｓ等の背面に鉄板などの磁性の強い部材を貼り付けて保持させたり、鉄製ケースに入れて保持させればよい。
【００５５】
また、保持具本体２Ｂは、前述した鉄筋撮影用マーカー１Ａのマーカー本体２Ａと同一の金型によって形成することが可能であるため、嵌入テーパ溝２２等が形成される場合があるが、前記磁石５１の固着にあたって特に阻害はない。
【００５６】
なお、本第二実施形態では、保持部５として磁石５１を採用しているが、これに限る必要はなく、たとえば保持部５と標尺Ｓ等とにファスナーテープを貼付して保持する構成を採用してもよい。
【００５７】
つぎに、本第二実施形態の鉄筋撮影用保持具１Ｂの作用について説明する。
【００５８】
まず、保持部５である磁石５１を保持具本体２Ｂに取り付ける場合を説明する。本第二実施形態における保持部５は、磁石嵌入凹部２１Ｂの内側面に接着剤を塗布し、磁石５１を磁石嵌入凹部２１Ｂに押し込むように嵌入することで、保持具本体２Ｂに接着固定され取り付けを完了する。また、狭持部４は前述した鉄筋撮影用マーカー１Ａと同様、狭持取付脚４３を狭持取付孔２４に挿入して狭持係止爪４４を狭持係止受面２５に係止させることで取り付けを完了する。
【００５９】
つぎに、本第二実施形態の鉄筋撮影用保持具１Ｂを鉄筋Ｒに取り付け、かつ標尺Ｓを磁着させる場合の各構成部の作用について説明する。図２２は、本第二実施形態の鉄筋撮影用保持具１Ｂを鉄筋Ｒに取り付けた場合の使用状態を正面から見た使用状態正面図である。図２２に示すように、本第二実施形態の鉄筋撮影用保持具１Ｂは、狭持部４により現場記録写真の撮影の際に所定の鉄筋Ｒに取り付けられる。また、保持部５の磁石５１により標尺Ｓや黒板を磁着させて保持する。これにより、別途、人手をかけることなく標尺Ｓを写真に写り込ませて鉄筋Ｒ間の距離を表示したり、黒板に書かれた現場の情報を写り込ませたりすることができる。
【００６０】
また、標尺Ｓや黒板を本第二実施形態の鉄筋撮影用保持具１Ｂから取り外す場合は、標尺Ｓや黒板を磁石５１から引き離すことにより、磁力が弱まって容易に取り外せる。さらに、完全に取り外さなくても標尺Ｓや黒板をずらして調整することも可能である。
【００６１】
したがって、以上のような鉄筋撮影用補助具の他の実施形態である鉄筋撮影用保持具１Ｂによれば、以下のような効果を奏することができる。
１．標尺Ｓや黒板を任意の場所に容易に着脱可能であり、取り付け後の調整も容易であるため実用性が高い。
２．取り付けた鉄筋撮影用保持具１Ｂが軸方向にずれたり、落ちたりしにくい。
３．狭持部４を任意に交換することによって径や種類の異なる鉄筋に容易に対応できる鉄筋撮影用保持具１Ｂを提供することができる。
４．図２２に示すように連結紐Ｗで連結することにより、取り外したときや意図せず外れたとき等に紛失や破損を防ぐことができる。
【００６２】
なお、本発明に係る鉄筋撮影用補助具は、前述した各実施形態に限定されるものではなく、適宜変更することができる。
【００６３】
例えば、図示しないが、マーカー本体２Ａや保持具本体２Ｂの側面に凹みを設けて、背面側の狭持部４の方向を手の感触でわかるようにしてもよく、上下を示すマークを正面側に設けてもよい。これにより、背面側を見なくてもスムーズに取り付け作業を行うことができ、夜間の工事や暗い場所での工事にも好適である。
【００６４】
また、本発明に係る鉄筋撮影用補助具は、工事現場の記録撮影以外であっても適宜適用することができる。例えば、建築・土木工事における土間コンクリートの水平の目印として使用したり、案内板や注意板の固定のために使用したり、電気配管等の軽量資材の固定のために使用することも可能である。
【図面の簡単な説明】
【００６５】
【図１】本発明に係る鉄筋撮影用補助具の一実施形態である鉄筋撮影用マーカーを示す斜視図である。
【図２】本第一実施形態を示す正面図である。
【図３】本第一実施形態を示す右側面図である。
【図４】本第一実施形態を示す平面図である。
【図５】本第一実施形態を示す背面図である。
【図６】本第一実施形態におけるマーカー本体を示す正面図である。
【図７】本第一実施形態におけるマーカー本体を示す背面図である。
【図８】本第一実施形態における識別部を示す正面図である。
【図９】本第一実施形態における識別部を示す右側面図である。
【図１０】本第一実施形態における識別部を示す平面図である。
【図１１】本第一実施形態における識別部を示す背面図である。
【図１２】本第一実施形態における狭持部を示す平面図である。
【図１３】本第一実施形態における狭持部を示す背面図である。
【図１４】本第一実施形態における狭持部を示す右側面図である。
【図１５】本第一実施形態における狭持腕の他の配置状態を示す背面図である。
【図１６】本第一実施形態における狭持部の他の実施形態を示す平面図である。
【図１７】本第一実施形態の使用状態を示す斜視図である。
【図１８】本発明に係る鉄筋撮影用補助具の第二の実施形態である鉄筋撮影用標尺保持具を示す正面図である。
【図１９】本第二実施形態を示す右側面図である。
【図２０】本第二実施形態を示す平面図である。
【図２１】本第二実施形態を示す背面図である。
【図２２】本第二実施形態の使用状態を示す正面図である。
【符号の説明】
【００６６】
１Ａ  鉄筋撮影用マーカー
１Ｂ  鉄筋撮影用保持具
２Ａ  マーカー本体
２Ｂ  保持具本体
３  識別部
４  狭持部
５  保持部
２１Ａ  識別部嵌入凹部
２１Ｂ  磁石嵌入凹部
２２  嵌入テーパ溝
２３  識別係止受面
２４  狭持取付孔
２５  テーパ状縁面
２６  狭持係止受面
２７  連結孔
３１  識別嵌入凸部
３２  識別キャップ
３３  識別係止爪
４１  狭持腕
４２  狭持基板
４３  狭持取付脚
４４  狭持係止爪
４５  膨拡ヘッド
５１  磁石
Ｒ  鉄筋
Ｊ  節
Ｌ  リブ
Ｗ  連結紐
Ｓ  標尺
【図１】
2010008347.tif 000003
【図２】
2010008347.tif 000004
【図３】
2010008347.tif 000005
【図４】
2010008347.tif 000006
【図５】
2010008347.tif 000007
【図６】
2010008347.tif 000008
【図７】
2010008347.tif 000009
【図８】
2010008347.tif 000010
【図９】
2010008347.tif 000011
【図１０】
2010008347.tif 000012
【図１１】
2010008347.tif 000013
【図１２】
2010008347.tif 000014
【図１３】
2010008347.tif 000015
【図１４】
2010008347.tif 000016
【図１５】
2010008347.tif 000017
【図１６】
2010008347.tif 000018
【図１７】
2010008347.tif 000019
【図１８】
2010008347.tif 000020
【図１９】
2010008347.tif 000021
【図２０】
2010008347.tif 000022
【図２１】
2010008347.tif 000023
【図２２】
2010008347.tif 000024